(57)【特許請求の範囲】
【請求項１】
送信要求によって画像データを受信する機能を有したファクシミリ装置において、
送受信する電話回線を複数有する複数回線接続手段と、
第１の通信回線に接続された発信側の発信元番号を認識する発信元番号認識手段と、
上記発信元番号認識手段により認識した電話番号を登録する登録手段と、
複数の電話回線のうち第２の通信回線を使用して該登録手段に登録された電話番号を発信する発信手段と、
上記発信手段により第２の通信回線を用いて上記登録手段に登録された電話番号に発信し、発信側が契約している通信回線と、受信側が契約している通信回線との通話料金を比較し、受信側の通信回線が発信側の通信回線よりも安価であれば、第１の通信回線の前手順に入った段階で、第１の通信回線の切断処理を行う前に第２の通信回線による接続動作を閉結させ、その後に第１の通信回線による通信の前手順を終了して第１の通信回線を切断し、その後、第２の通信回線で送信要求を行う送信要求制御手段とを備えたことを特徴とするファクシミリ装置。
【発明の詳細な説明】
【０００１】
【発明の属する技術分野】
本発明は、送信要求によって画像データを受信する機能を有したファクシミリ装置において、特に、通話料金の安価な通信回線を使用して画像データの送受信を行うものに関するものである。
【０００２】
【従来の技術】
従来のファクシミリ装置においては、１回線により画像データの送受信を行っていた。
【０００３】
また、発信側の情報を認識し通信回線を切り替える制御方法として、特開昭６３−８７０６８号公報に記載されたものがあった。
このファクシミリ装置は、音声案内に応答し内容によって電話とファクシミリとを切り替えるものであった。
【０００４】
また、特開平５−２１９２７５号公報には、回線の使用率によって使用する電話回線を切り替えるファクシミリ装置が記載されていた。
【０００５】
【発明が解決しようとする課題】
特開平５−２１９２７５号公報のものは、回線の使用頻度によって受信される回線が切り替わるものであり、しかも、一方の電話回線からもう一方の電話回線に切り替え画像データを送受信する場合は、オペレータにより接続を手動により切り替え操作を行う必要があった。
【０００６】
本発明は、標準の通信手段のＴＳＩ信号から発信側の電話番号を認識し、発信側が使用している回線と自局が選択可能な契約回線との通話料の価格差を判断し、自局から発信し直した方が安価で済む場合は、ファクシミリの画像データを送信要求で受信することによって通信コストを抑えることが可能なファクシミリ装置を提供することを目的とするものである。
【０００７】
また、発信側が登録している電話番号から契約している通信回線を認識し、受信側が契約している通信回線の方が発信側の通話料金よりも安価なときは、もう１つの回線を利用してファクシミリの画像データを送信要求で受信する。
これによって契約している回線の通話料金の価格差を利用して安価な回線から認識した発信側の電話番号を発信し、自動的に安価な通話回線を利用することでトータルの通信コストを抑えることが可能なファクシミリ装置を提供することを目的とするものである。
【０００９】
【課題を解決するための手段】
上記の目的を達成するために、請求項１記載のファクシミリ装置は、送信要求によって画像データを受信する機能を有したファクシミリ装置において、
送受信する電話回線を複数有する複数回線接続手段と、
発信側の発信元番号を認識する発信元番号認識手段と、
上記発信元番号認識手段により認識した電話番号を登録する登録手段と、
複数の電話回線のうち、第１の通信回線とは種別の異なる第２の通信回線を使用して該登録手段に登録された電話番号を発信する発信手段と、
上記発信手段により第２の通信回線の前手順が成立した時点で、第１の通信回線による通信の前手順を終了して第１の通信回線を切断し、第２の通信回線で送信要求を行う送信要求制御手段とを備えている。
【００１０】
請求項２記載のファクシミリ装置は、上記発信元番号認識手段により認識した発信元番号から発信側が契約している通信回線を認識する通信回線認識手段と、発信側が契約している通信回線と、着信側が契約している通信回線との通話料金を比較する通話料金比較手段と、該通話料金比較手段による比較結果に基づいて通話料金の安価な通信回線を選択する通信回線選択手段と、上記発信元番号認識手段により認識した電話番号を登録する登録手段と、複数の電話回線のうちの第２の電話回線を使用して該登録手段に登録された電話番号を発信する発信手段と、上記通信回線選択手段により選択された通信回線が、発信側から使用された第１の通信回線よりも第２の通信回線の方が安価な場合に、第２の通信回線の前手順が成立した時点で、第１の通信回線による通信の前手順を終了して第１の通信回線を切断し、第２の通信回線で送信要求を行う送信要求制御手段とを備えている。
【００１１】
【発明の実施の形態】
以下、図面を参照して本発明のファクシミリ装置を備えたデジタル複写機の実施形態を説明する。
図１は本発明のファクシミリ装置を備えたデジタル複写機の基本構成を機能的に説明するブロック図、図２はデジタル複写機の断面図である。
【００１２】
同図に示すように、この実施形態のデジタル複写機には、操作部１、スキャナ部２、画像処理部３、ＦＡＸ部４、プロセス部５、給紙部６、手差し給紙部７、定着部８、及びソータ９が備えられている。
【００１３】
スキャナ部２は、透明ガラスから成る原稿載置台１０、両面対応原稿送り装置（ＲＡＤＦ）１１、およびスキャナユニット１２から構成されている。
【００１４】
ＲＡＤＦ１１は複数枚の原稿を一度にセットしており、自動的に原稿を一枚ずつ原稿載置台１０に給送して、オペレータの選択に応じて原稿の片面または両面をスキャナユニット１２に読み取らせるように構成されている。
【００１５】
スキャナユニット１２は、原稿を露光するランプリフレクタアセンブリ１３、原稿からの反射光像を光電変換素子（ＣＣＤ）１４に導くための複数の反射ミラー１５及び原稿からの反射光像をＣＣＤ１４に結像させるためのレンズ１６を含んでいる。
【００１６】
操作部１はオペレータがデジタル複写機を操作するために必要な操作表示画面、キースイッチ、動作警告灯を備えている。
【００１７】
プロセス部５には感光体１７表面に静電潛像を作り現像して可視像（トナー像）としてコピー用紙に転写する。
【００１８】
ＰＰＣ（PLAIN PAPER COPIER)は、帯電、露光、転写、除電の５つの基本工程と、感光体１７を繰り返し使用するために転写後、感光体１７表面を清掃（クリーニング）する構成の６工程でコピーを作る。
【００１９】
デジタル複写機に含まれる画像処理部３は、画像データ入力部１８、画像処理部３、画像データ出力部１９、ＲＡＭ等から構成されるメモリ２０、及び、中央処理演算装置（ＣＰＵ）２１を備えている。図３はデジタル複写機の画像処理部の構成を示すブロック図である。
【００２０】
画像データ入力部１８はＣＣＤ部１８ａ、ヒストグラム処理部１８ｂ、及び、誤差拡散処理部１８ｃを含んでいる。画像データ入力部１８はＣＣＤ１４から読み込まれた原稿の画像データを２値化変換して、２値のデジタル量としてヒストグラムを取りながら、誤差拡散法により画像データを処理してメモリ２０に一旦記憶するように構成されている。
【００２１】
すなわち、ＣＣＤ部１８ａでは画像データの各画素濃度に応じたアナログ電気信号がＡ／Ｄ変換された後、ＭＴＦ補正、白黒補正またはガンマ補正が行われ、２５６階調（８ビット）のデジタル信号としてヒストグラム処理部１８ｂへ出力される。
【００２２】
ヒストグラム処理部１８ｂでは、ＣＣＤ部１８ａから出力されたデジタル信号が２５６階調の画素濃度別に加算され濃度情報（ヒストグラムデータ）が得られるとともに、必要に応じて得られたヒストグラムデータはＣＰＵ２１に送られ、または、画素データとして誤差拡散処理部１８ｃへ送られる。
【００２３】
誤差拡散処理部１８ｃでは、疑似中間処理の一種である誤差拡散法、すなわち、２値化の誤差を隣接画素の２値化判定に反映させる方法により、ＣＣＤ部１８ａから出力された８ビット／画素のデジタル信号が１ビット（２値）に変換され、原稿における局所領域濃度を忠実に再現するための再配分演算が行われる。
【００２４】
画像処理部３は、多値化処理部３ａ及び合成処理部３ｂ、濃度変換処理部３ｃ、変倍処理部３ｄ、画像プロセス部３ｅ、誤差拡散処理部３ｆ並びに圧縮処理部３ｇを含んでいる。
【００２５】
画像処理部３は、入力された画像データをオペレータが希望する画像データに最終的に変換する処理部であり、メモリ２０に最終的に変換された出力画像データとして記憶されるまで、この処理部にて処理するように構成されている。
但し、画像処理部３に含まれている上述の各処理部は必要に応じて機能するものであり、機能しない場合もある。
すなわち、多値化処理部３ａでは、画像データ入力部１８の誤差拡散処理部１８ｃで２値化されたデータが再度２５６階調に変換される。
【００２６】
合成処理部３ｂでは、画素毎の論理演算、すなわち、論理和、論理積または排他的論理和の演算が選択的に行われる。この演算の対象となるデータは、メモリ２０に記憶されている画素データ及びパターンジェネレータ（ＰＧ）からのビットデータである。
【００２７】
濃度変換処理部３ｃでは、２５６階調のデジタル信号に対して、所定の階調変換テーブルに基づいて入力濃度の関係が任意に設定される。
【００２８】
変倍処理部３ｄでは、指示された変倍率に応じて、入力される既知データにより補間処理を行うことによって、変倍後の対象画素に対する画素データ（濃度値）が求められ、副走査が変倍された後に主走査が変倍処理される。
【００２９】
画像プロセス部３ｅでは、入力された画素データに対して様々な画像処理が行われ、また、特徴抽出等データ列に対する情報収集が行われ得る。
【００３０】
誤差拡散処理部３ｆでは、ランレングスという符号化により２値データが圧縮される。また、画像データの圧縮に関しては、最終的な出力画像データが完成した時点で最後の処理ループにおいて圧縮が機能する。
【００３１】
画像データ出力部１９は、復元部１９ａ、多値化処理部１９ｂ、誤差拡散処理部１９ｃ及びレーザ出力部１９ｄを含んでいる。
【００３２】
画像データ出力部１９は、圧縮状態でメモリ２０に記憶されている画像データを復元し、もとの２５６階調に再度変換し、２値データより滑らかな中間調表現となる４値データの誤差拡散を行い、レーザ出力部１９ｄへデータを転送するように構成されている。
すなわち、復元部１９ａでは圧縮処理部３ｇによって圧縮された画像データが復元される。
【００３３】
多値化処理部１９ｂでは、画像処理部３の多値化処理部３ａと同様な処理が行われる。誤差拡散処理部１９ｃでは画像データ入力部１８の誤差拡散処理部１８ｃと同様な処理が行われる。
【００３４】
レーザ出力部１９ｄでは、図に示していないシーケンスコントローラからの制御信号に基づき、デジタル画素データがレーザのＯＮ／ＯＦＦ状態となる。
【００３５】
尚、画像データ入力部１８及び画像データ出力部１９において扱われるデータは、メモリ２０の容量の削減のため、基本的には２値データの形でメモリ２０に記憶されているが、画像データの劣化を考慮して４値のデータの形で処理することも可能である。
【００３６】
デジタル複写機のファクシミリ部４は、ＦＡＸメイン部４ａ、ＦＡＸサブ部４ｂ、ＴＥＬ／ＬＩＵ部４ｃから構成されている。
【００３７】
ＦＡＸメイン部４ａは、ＦＡＸ回線制御やＦＡＸ機能のコントロールを主に行っている。
【００３８】
ＦＡＸサブ部４ｂは、複写機本体との画像Ｉ／Ｆとプリンタ機能としての画像展開を主に行っている。
【００３９】
ＴＥＬ／ＬＩＵ部４ｃは、回線との物理的接続と、基本的な電話制御の機能を主に行っている。
【００４０】
以上の構成を有しているデジタル複写機における実施形態１の動作を詳述する。図５はデジタル複写機のファクシミリ制御部２２のブロック図であり、回線Ａ通信制御部２２ａ、回線Ｂ通信制御部２２ｂ、回線選択部２２ｃ、画像記録部２２ｄからなり、画像記録部２２に画像読み取り部２３と画像出力部２４とが接続されている。図６は実施形態１の通信手順のフローチャートである。
【００４１】
まず、回線Ａを受信すると（Ｓ１）、フェイズＡ手順（呼設定）を行い（Ｓ２）、図４の通信制御シーケンスで示される通信の伝送手順が行われたとき、フェイズＢのＴＳＩ信号検出によって発信側の電話番号を認識する（Ｓ３）。
【００４２】
発信側の電話番号が認識されると、認識した電話番号を送信する相手先の電話番号に登録し（Ｓ４）、回線ＡをフェイズＥ（回線断）の手順によって一旦、前手順の段階で強制的に通信を終了する（Ｓ５）。
【００４３】
通信が終了した後、今度は、受信側から前述の登録した送信先に送信要求を行い（Ｓ６）、回線を切断した後、発信側の電話番号にダイヤルし、フェイズＡ手順により回線Ａに接続し（Ｓ７）、接続後、フェイズＢ（メッセージ前手順：通信能力決定）手順を行い（Ｓ８）、フェイズＣ（画像情報伝送）手順により画像データを受信し（Ｓ９）、フェイズＤ（メッセージ後手順）手順を行い（Ｓ１０）、フェイズＥ（呼解除）手順を行い（Ｓ１１）、受信を終了する。
【００４４】
このようにフェイズＡ〜Ｅを実行することによって、送信側のメモリに記録されている画像データを送信要求により受信する。
【００４５】
これは、受信局が発信側（送信側）よりも安価な通信回線と契約を行っているとき、受信の前手順の段階で一旦通信を終了し、その送信をした発信側に安価な回線を使って送信要求を行い画像データを得ることにより、発信側からの送信をそのまま受信するよりも通信料金の安価な回線を使用することにより、トータルの通信コストを安価に抑えることができる。
【００４６】
上記のＳ３で発信側の電話番号が認識できなかった場合は、回線Ａの接続を継続し、フェイズＣ（Ｓ１２）、フェイズＤ（Ｓ１３）、フェイズＥ（Ｓ１４）を実行し、画像データの受信を行う。
【００４７】
次に、本発明のデジタル複写機の実施形態２の通信手順を図７とともに説明する。この実施形態２は発信側（送信側）と受信側が共に複数回線を所有するファクシミリ装置を所持している場合であって、発信側に送信要求でダイヤルすべき電話番号を予め登録しておく。この電話番号は、発信側が有する複数回線のうち最初に送信する回線とは別の回線の電話番号でる。
【００４８】
まず、回線Ａを受信すると（Ｓ２１）、フェイズＡ手順（呼設定）を行い（Ｓ２２）、図４の通信制御シーケンスで示される通信の伝送手順が行われたとき、フェイズＢのＴＳＩ信号検出によって発信側の電話番号を認識する（Ｓ２３）。
【００４９】
発信側の電話番号が認識されると、認識した電話番号を送信する相手先の電話番号に登録し（Ｓ２４）、登録した相手先の電話番号により回線Ｂを使用して送信要求を行い（Ｓ２５）、回線Ｂに対してフェイズＡ手順（呼設定）を行い（Ｓ２６）、回線Ｂに対するフェイズＡ手順が終了すると、回線ＡをフェイズＥ（回線断）の手順によって一旦、前手順の段階で強制的に通信を終了する（Ｓ２７）。
【００５０】
回線Ａの通信が終了した後、回線Ｂに対してフェイズＢ（メッセージ前手順：通信能力決定）手順を行い（Ｓ２８）、フェイズＣ（画像情報伝送）手順により画像データを受信し（Ｓ２９）、フェイズＤ（メッセージ後手順）手順を行い（Ｓ３０）、フェイズＥ（呼解除）手順を行い（Ｓ３１）、受信を終了する。
【００５１】
このようにフェイズＡ〜Ｅを実行することによって、送信側のメモリに記録されている画像データを送信要求により受信する。
【００５２】
上記のＳ２３で発信側の電話番号が認識できなかった場合は、回線Ａの接続を継続し、フェイズＣ（Ｓ３２）、フェイズＤ（Ｓ３３）、フェイズＥ（Ｓ３４）を実行し、画像データの受信を行う。
【００５３】
上記実施形態２によれば、回線Ａの回線の切断処理を行う前に回線Ｂによる接続動作が終了しているので、送信先の番号を登録してからフェイズＥの手順を終了するまでの通信時間を短縮することができる。
【００５４】
例えば、受信側が安価な通信回線と契約しているとき、受信の前手順でもう１つの回線を使用して、送信してきた発信側に安価な回線を使って送信要求を行い、画像データを得るので、発信側からの送信をそのまま受信するよりも通信料金の安価な回線を使用することにより、トータルの通信コストを安価に抑えることができる。
【００５５】
次に、本発明のデジタル複写機の実施形態３の通信手順を図８及び図９とともに説明する。この実施形態３は、上記の実施形態２を改良したものであり、受信したＴＳＩ信号から市外識別番号を認識し、認識した回線がＮＣＣ（中継事業者識別番号）であるか否かによって通話料が安価な方の回線を自動的に選択する構成になっている。送信要求で受信する方が安価になる場合は、自動的に安価な回線を使用するように制御するものである。
また、この実施形態３では、発信側（送信側）と受信側の局が複数回線を所有するファクシミリ装置を所持している場合のみ成立し、ここでも発信元に送信要求でダイヤルすべき電話番号を予め登録するしておく必要がある。
【００５６】
まず、回線Ａを受信すると（Ｓ４１）、フェイズＡ手順（呼設定）を行い（Ｓ４２）、図４の通信制御シーケンスで示される通信の伝送手順が行われたとき、フェイズＢ手順（Ｓ４３）を行い、ＴＳＩ信号検出によって発信側の市外識別番号と電話番号を認識する（Ｓ４４）。
【００５７】
発信側の市外識別番号と電話番号が認識されると、認識した電話番号を送信する相手先の電話番号に登録し（Ｓ４５）、認識した市外識別番号から中継事業者番号を判断する（Ｓ４６）とともに、登録した相手先の電話番号により回線Ｂを使用して送信要求を行い、回線Ｂに対してフェイズＡ手順（呼設定）を行い、回線Ｂに対するフェイズＡ手順が終了すると、回線ＡをフェイズＥ（回線断）の手順によって一旦、前手順の段階で強制的に通信を終了する（Ｓ４７）。
【００５８】
回線Ａの通信が終了した後、回線Ｂに対して送信要求を行い（Ｓ４８）、フェイズＡ（Ｓ４９）、フェイズＢ（Ｓ５０）、フェイズＣ（Ｓ５１）、フェイズＤ（Ｓ５２）、フェイズＥ（５３）の手順を順次行い受信を終了する。
【００５９】
このようにフェイズＡ〜Ｅを実行することによって、送信側のメモリに記録されている画像データを送信要求により受信する。
【００６０】
上記のＳ４３で発信側の電話番号が認識できなかった場合は、回線Ａの接続を継続し、フェイズＣ（Ｓ５４）、フェイズＤ（Ｓ５５）、フェイズＥ（Ｓ５６）を実行し、画像データの受信を行う。
【００６１】
上記実施形態３によれば、回線Ａの回線の切断処理を行う前に回線Ｂによる接続動作が終了しているので、送信先の番号を登録してからフェイズＥの手順を終了するまでの通信時間を短縮することができる。
【００６２】
例えば、受信側が安価な通信回線と契約しているとき、受信の前手順でもう１つの回線を使用して、送信してきた発信側に安価な回線を使って送信要求を行い、画像データを得るので、発信側からの送信をそのまま受信するよりも通信料金の安価な回線を使用することにより、トータルの通信コストを安価に抑えることができる。
【００６３】
【発明の効果】
請求項１記載のファクシミリ装置では、通信動作の途中に種別の異なるもう１つの回線を利用して画像データの送信要求を行い画像データを受信することができるので、契約している通話料金の価格差を利用して安価な方の回線で画像データの受信を行うことができるので、トータルの通信コストを抑えるとともに通話時間を短縮することができる。
【００６５】
請求項２記載のファクシミリ装置では、発信側が登録している電話番号から契約している通信回線を認識し、受信側が契約している通信回線が発信側の通話料金よりも安価なとき、通信動作の途中に受信側のもう１つの回線を利用して画像データの送信要求を行うことにより、契約している回線の通話料金の価格差を利用して自動的に安価な回線を選択し、画像データの受信を行うことができるので、自動的にトータルの通信コストを抑えることができるとともに、通話時間を短縮することができる。
【図面の簡単な説明】
【図１】本発明のファクシミリ装置を備えたデジタル複写機の実施形態の基本構成を示すブロック図である。
【図２】本発明のファクシミリ装置を備えたデジタル複写機の実施形態の断面図である。
【図３】本発明のデジタル複写機の画像処理部の構成を示す制御ブロック図である。
【図４】本発明のデジタル複写機の通信制御シーケンスである。
【図５】本発明のデジタル複写機のファクシミリ制御部を示すブロック図である。
【図６】本発明のデジタル複写機の実施形態１における通信手順を示すフローチャートである。
【図７】本発明のデジタル複写機の実施形態２における通信手順を示すフローチャートである。
【図８】本発明のデジタル複写機の実施形態３における通信手順１を示すフローチャートである。
【図９】本発明のデジタル複写機の実施形態３における通信手順２を示すフローチャートである。
【符号の説明】
２２  ファクシミリ制御部
２２ａ  回線Ａ通信制御部
２２ｂ  回線Ｂ通信制御部
２２ｃ  回線選択部
２２ｄ  画像記録部
２３  画像読み取り部
２４  画像出力部
【図１】
0004073523.tif 000002
【図２】
0004073523.tif 000003
【図３】
0004073523.tif 000004
【図４】
0004073523.tif 000005
【図５】
0004073523.tif 000006
【図６】
0004073523.tif 000007
【図７】
0004073523.tif 000008
【図８】
0004073523.tif 000009
【図９】
0004073523.tif 000010